(57)【要約】【課題】見栄え、視認性に優れパネルシートがはがれ難い操作表示装置を提供する。【解決手段】操作ボタン部１９と表示部２０とを有する操作表示パネル１８と、表示部２０の上面を覆うパネルシート２１と、操作ボタン部１９の対応位置に設けた操作部２６と表示部２０の対応位置に設けた透明部２７とを有するパネルカバー２５とを備え、パネルカバー２５とパネルシ−ト２１との間には、表示部２０に対応して開口する開口部２８ａを有する台枠２８を設けたもので、パネルシート２１の表面がでこぼこせず、また操作表示パネル１８との隙間も見えない為、美観を向上でき、かつ、信頼性も向上できる。【選択図】図２
2006072118.tif 000002
【特許請求の範囲】
【請求項１】
操作ボタン部と表示部とを有する操作表示パネルと、前記表示部の上面を覆うパネルシートと、前記操作ボタン部の対応位置に設けた操作部と前記表示部の対応位置に設けた透明部とを有するパネルカバーとを備え、前記パネルカバーとパネルシ−トとの間には、前記表示部に対応して開口する開口部を有する台枠を設けた操作表示装置。
【請求項２】
開口部は、その開口面積を、パネルシ−トから操作表示パネルの透明部に向けて漸次拡大した請求項１記載の操作表示装置。
【請求項３】
開口部のパネルシ−ト側の大きさは、パネルシ−トより小さくした請求項１または２に記載の操作表示装置。
【請求項４】
操作表示パネルの下方に配され操作ボタン部の対応位置に配されたスイッチと表示部の対応位置に配された複数個の表示素子とを有する制御装置を備え、前記表示部には前記複数個の表示素子がそれぞれ対応する複数個の表示窓を設けた請求項１〜３のいずれか１項に記載の操作表示装置。
【請求項５】
表示窓は、その開口面積を表示素子側から操作表示パネルの表面側に向けて漸次拡大して形成した請求項４記載の操作表示装置。
【発明の詳細な説明】
【技術分野】
【０００１】
本発明は、操作ボタン部の操作に対応して表示素子により表示する操作表示装置に関するものである。
【背景技術】
【０００２】
洗濯機等に使用される従来の操作表示装置について図４〜図６を用いて説明する。
【０００３】
図４〜６において、従来の操作表示装置は、操作表示パネル１と、操作表示パネル１の上に貼付けられたパネルシート３と、操作表示パネル１の下方に取り付けられた制御装置９から構成されている。操作表示パネル１は、洗濯機の洗濯槽（図示せず）を開閉自在に覆う蓋２を取り付けており、この操作表示パネル１の上面にパネルシート３を設けている。このパネルシート３に、操作部４、５、コース表示部６ａ〜６ｃなどを設けている。操作部４は洗濯動作を開始するとき操作するものであり、操作部５は、所定の運転コースを選択するとき操作するものである。
【０００４】
コース表示部６ａ〜６ｃは、操作部５により所定の運転コースを選択すると点灯する。電源スイッチ７は、洗濯機本体に電源を投入するものである。
【０００５】
つぎに、図５に示すように、操作表示パネル１の操作表示部８の下方に洗濯機の運転を制御する制御装置９を装着し、この制御装置９に複数のスイッチ１０を設けている。このスイッチ１０は、操作表示部８の操作ボタン部１１に対応した位置に設けられ、この操作ボタン部１１に設けた押圧部１２を押圧することでオン、オフできるように構成されている。ここで、操作ボタン部１１は、ボタン支持部１３により操作表示部８に上下動自在に支持されている。
【０００６】
操作表示部８の上面に弾性を有するパネルシート３を貼着し、パネルシート３に設けた操作部４、５より、操作ボタン部１１を介してスイッチ１０を押圧できるようにしている。また、コース表示部６ａ〜６ｃは、制御装置９にセットした表示ケース１４に設けた表示素子１５により構成され、図６に示すように、操作表示パネル１に設けた表示窓１６にセットし、パネルシート３の表面に印刷してあるコースの表示１７に対応して表示するよう構成している。
【０００７】
上記構成において動作を説明すると、電源スイッチ７をオンし、さらに操作部５をオンする。このとき、操作ボタン部１１に設けた押圧部１２によりスイッチ１０を押圧してオンし、所定の運転コースを選択する。このとき、コース表示部６ａ、６ｂ、６ｃと順次コース内容が変わり、使用者が希望のコースを選択する（例えば、特許文献１参照）。
【特許文献１】特開２００４−０７３７０６号公報
【発明の開示】
【発明が解決しようとする課題】
【０００８】
しかしながら、このような従来の操作表示装置の構成では、制御装置９にセットした表示ケース１４を操作表示パネル１に設けた表示窓１６にセットしているため、制御装置９に設けた表示ケース１４の天面形状と操作表示パネル１の天面形状が合いにくく、操作表示パネル１から表示ケース１４が飛び出してしまい、その上にパネルシート３を貼着したとき、パネルシート３がでこぼこに見えたりして、美観を損ねるという課題があった。
【０００９】
また、操作表示パネル１とパネルシート３は材質が違うため、熱収縮の考慮が必要であり、貼り付けたあとでも、隙間を設ける必要があり、視認性が良くなかった。さらにその隙間にごみや水が溜りやすく、また、近くにボタン部があるため、それとの隙間近くで、パネルシート３がはがれやすくなるという課題があった。
【００１０】
本発明は、前記従来の課題を解決するもので、パネルシートを貼り付けた後でも、パネルシートの表面がでこぼこに見えたりすることがなく、また、パネルシートがはがれたりする心配もない信頼性の高い操作表示装置を提供することを目的とする。
【課題を解決するための手段】
【００１１】
前記従来の課題を解決するために、本発明の操作表示装置は、操作ボタン部と表示部とを有する操作表示パネルと、前記表示部の上面を覆うパネルシートと、前記操作ボタン部の対応位置に設けた操作部と前記表示部の対応位置に設けた透明部とを有するパネルカバーとを備え、前記パネルカバーとパネルシ−トとの間には、前記表示部に対応して開口する開口部を有する台枠を設けたものである。
【００１２】
これによって、本発明の操作表示装置は、従来のように操作表示パネルから表示ケースが飛び出すことがなく、パネルシートを貼り付けた後でも、パネルシートの表面がでこぼこに見えたりすることがなく、また、貼り付け部に水やごみが溜ることもなく、はがれてくる心配もない、信頼性の高い操作表示装置を実現することができる。
【発明の効果】
【００１３】
本発明の操作表示装置は、パネルシートの表面がでこぼこに見えたりすることがなく美観に優れ、また、パネルシートがはがれたりする心配もなく、信頼性を高めることができる。
【発明を実施するための最良の形態】
【００１４】
第１の発明は、操作ボタン部と表示部とを有する操作表示パネルと、前記表示部の上面を覆うパネルシートと、前記操作ボタン部の対応位置に設けた操作部と前記表示部の対応位置に設けた透明部とを有するパネルカバーとを備え、前記パネルカバーとパネルシ−トとの間には、前記表示部に対応して開口する開口部を有する台枠を設けた操作表示装置としたもので、従来のように操作表示パネルから表示ケースが飛び出すことがなく、パネルシートを貼り付けた後でも、パネルシートの表面がでこぼこに見えたりすることがなく、また、操作表示パネルとの隙間も見えない為、美観を向上できるとともに、貼り付け部に水やごみが溜ることもなく、はがれてくる心配もないので、信頼性を向上させることができる。
【００１５】
第２の発明は、特に、第１の発明の開口部は、その開口面積を、パネルシ−トから操作表示パネルの透明部に向けて漸次拡大したもので、表示窓に貼り付けているパネルシートが強調され、視認性を向上させることができる。
【００１６】
第３の発明は、特に、第１または第２の発明の開口部のパネルシ−ト側の大きさは、パネルシ−トより小さくしたもので、パネルシートの貼付位置が開口部から多少ずれても、操作表示パネルの地肌が見えることはなく、美観を損なうことをなくすることができる。
【００１７】
第４の発明は、特に、第１〜３のいずれか１つの発明の操作表示パネルの下方に配され操作ボタン部の対応位置に配されたスイッチと表示部の対応位置に配された複数個の表示素子とを有する制御装置を備え、前記表示部には前記複数個の表示素子がそれぞれ対応する複数個の表示窓を設けたもので、制御装置には拡散ケースが不要になり、金型設計および金型作成日程が短縮でき、さらに、制御装置と表示素子の組立ばらつきにより、パネルシートを貼り付けた後、操作表示パネルの表示部の表示窓に対応するパネルシートの表面がでこぼこするといったことがなく、美観を向上させることができる。
【００１８】
第５の発明は、特に、第４の発明の表示窓は、その開口面積を表示素子側から操作表示パネルの表面側に向けて漸次拡大して形成したもので、表示素子の光が拡散され、パネルシートの表面の文字をきれいに光らせることができ、視認性をさらに向上することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における操作表示装置を搭載した洗濯機の要部上面図、図２は、同操作表示装置の分解図、図３（ａ）は、図１のＡ−Ａ断面図、図３（ｂ）は、図１のＢ−Ｂ断面図である。なお、従来例と同一部分については同一符号を付してその説明を省略する。
【００２１】
図に示すように、操作表示パネル１８の表示部２０にはパネルシート２１を貼り付けており、上方に台枠２８を設け、それを覆うようにパネルカバー２５を設けている。このパネルカバー２５に操作部２６、３１、３２、３３ａ〜３３ｄ、３５を設けている。操作部３２は洗濯動作をスタート・一時停止するときに操作するものであり、操作部３３ａ〜３３ｄは、洗濯、すすぎ、脱水、乾燥の個別設定を選択するときに操作するもので、パネルシート２１の３４ａ〜３４ｄは、操作部３３ａ〜３３ｄに連動して時間等を表示するものである。
【００２２】
操作部３５は、おまかせ、わたし流、ちょっと乾燥、ソフト乾燥などの所定の運転コースを選択するときに操作するもので、操作部３５の操作に連動して操作表示面３６に選択された運転コースを表示する。操作部２６は電源入りスイッチを構成し、洗濯機本体の電源を入れるもので、操作部３１は電源切りスイッチを構成し、洗濯機本体の電源を切るものである。
【００２３】
操作表示パネル１８には、図２に示すように、パネルカバー２５の操作部２６、３１、３２、３３ａ〜３３ｅ、３５に対応した位置に操作ボタン部１９を操作表示面３６に対して上下動自在に設けている。すなわち、操作表示パネル１８はポリプロピレン樹脂により形成し、操作表示面３６と操作ボタン部１９との間に薄肉部３７を設けて、操作ボタン部１９を上下動自在としている。
【００２４】
操作表示パネル１８の操作表示面３６の下方には、制御装置３８を装着し、この制御装置３８に複数のスイッチ３９を設けている。このスイッチ３９は、操作ボタン部１９を介して操作される。また、制御装置３８には、複数の表示素子２２を設け、操作表示パネル１８の表示部２０には、複数の表示素子２２にそれぞれ対応した複数の表示窓２３を設けている。
【００２５】
ここで、表示窓２３は、操作表示パネル１８と一体に成形し、表示素子２２側から操作表示パネル１８の表面側に向けて開口面積が漸次拡大するように形成されている。また、表示窓２３は、非透光材料にて形成され、相互に露光しない構成としている。
【００２６】
なお、表示窓２３は、図２に示すように、表示部３４ａ〜３４ｃに対応する表示窓２３ａ〜２３ｃと、表示部３４ｅに対応する表示窓４０とを有している。
【００２７】
表示窓４０は、操作部３５により選択した運転コースに対応して点灯した表示素子２２の光を表示部３４ｅに伝えるものである。また、パネルシート２１は弾性を有し、操作表示パネル１８の表示部２０の上面に貼着されている。そのパネルシート２１とパネルカバー２５との間の空間部には、表示部２０に対応して開口する開口部２８ａを有する台枠２８を配している。
【００２８】
開口部２８ａは、その開口面積を、パネルシ−ト２１側からパネルカバー２５の透明部２７に向けて漸次拡大するよう傾斜面２８ｂを設けた構成をしている。また、パネルシート２１側の開口部２８ａの大きさは、パネルシート２１の大きさより小さくしている。
【００２９】
上記構成における操作表示装置の動作を以下の通りである。
【００３０】
電源入りスイッチを構成する操作部２６をオンし、操作部３５を押圧すると、操作ボタン部１９が薄肉部３７を支点としてたわみ、スイッチ３９をオンすることができ、所定の運転コースを選択することができる。次に、操作部３２を押圧すると、同様にして、操作ボタン部１９を介してスイッチ３９をオンすることができて運転を開始する。
【００３１】
このとき、操作表示パネル１８の下方に配した制御装置３８には、複数の表示素子２２を設けており、操作表示パネル１８には複数の表示素子２２にそれぞれ対応した複数の表示窓４０を設けることにより、制御装置３８に表示素子２２の光を拡散するための拡散ケースを別途設けることなく、光を拡散する構成を実現できる。
【００３２】
これにより、制御装置３８には拡散ケースが不要になり、金型設計および金型作成日程が短縮でき、さらに、制御装置３８と表示素子２２の組立ばらつきにより、パネルシート２１を貼り付けた後、操作表示パネル１８の表示部２０の表示窓２３に対応するパネルシート２１の表面がでこぼこするといったことがなく、美観が向上する。
【００３３】
また、表示窓２３は、表示素子２２側から操作表示パネル１８の表面側に向けて開口面積が漸次拡大しているので、表示素子２２の光は拡散され、パネルシート２１の表面の文字をきれいに光らすことができ、視認性を向上させることができる。
【００３４】
また、表示窓４０は、相互に露光しないように、遮蔽構成にすることにより、隣の表示窓４０に光りが漏れることがなく、視認性を向上させることができる。
【００３５】
また、表示窓４０は、操作表示パネル１８と一体に成形することにより、従来のように、操作表示パネル１８から表示ケースが飛び出して、でこぼこに見えたりすることがなく、美観を向上できるとともに、表示ケースが必要でないことから金型設計や加工性を向上することができる。
【００３６】
また、表示窓４０を、非透光材料にて形成すると、隣の表示窓４０に光がより漏れにくく、視認性を向上させることができる。
【００３７】
また、操作表示パネル１８の表示部２０の上面にパネルシート２１を貼着しており、異材質の為に隙間を設けているが、その上面に台枠２８と配置しているため、その隙間が使用者から見えず、視認性を向上させることができる。また、その上方にパネルカバー２５を設けていて、その窓となる透明部２７を介してパネルシート２１を見せるようにしている。その為、水やごみがパネルシート２１と操作表示パネル１８の表示部２０との隙間や、パネルシート２１に付着することがないため、パネルシート２１がはがれたり、汚れたりすることがないため、信頼性を向上させることができる。
【００３８】
また、パネルシート２１を貼り付けた後でも、パネルシート２１の表面がでこぼこに見えたりすることがなく、また、パネルシート２１と操作表示パネル１８との隙間も外観から見えなくし、その部分にも水やごみも溜ることなく、操作表示パネル１８とパネルカバー２５の間の隙間空間部に台枠２８を設けることにより、表示窓４０に貼り付けているパネルシート２１が強調され、視認性を向上することができる。
【００３９】
また、開口部２８ａは、その開口面積を、パネルシ−ト２１側からパネルカバー２５の透明部２７に向けて漸次拡大するよう傾斜面２８ｂを設けた構成をしているので、透明部２７を大きく見せることができ、表示を大きく見せることができるので、使用者の使用勝手を向上させることができる。
【００４０】
また、パネルシート２１側の開口部２８ａの大きさは、パネルシート２１の大きさより小さくしているので、パネルシート２１の貼付位置が開口部２８ａから多少ずれても、操作表示パネル１８の地肌が見えることはなく、美観を損なうことはない。
【００４１】
また、図３に示すように、表示素子２２の夫々の位置は、制御装置３８に固定され、表示素子２２が位置する複数の穴を有する板材よりなる規制部材２９により規制するように構成している。
【００４２】
表示窓４０は、発光源の表示素子２２から操作表示パネル１８の表面側に向けて開口面積を漸次拡大させているため、表示素子２２の光は拡散されている。この表示素子２２を表示窓４０の中心に位置するように、規制部材２９を設けることにより、パネルシート２１の表面からの文字をきれいに光らすことができ、視認性を向上させることができる。
【００４３】
また、おまかせ、わたし流、ちょっと乾燥、ソフト乾燥など所定の運転コースを表示する操作表示面３６についても、同様に、発光源の表示素子２２から操作表示パネル１８表面側に向けて開口面積が漸次拡大させることで、表示素子２２の光を拡散することができ、表示素子２２を操作表示面３６の中心に位置するように、規制部材２９を設けることにより、操作表示面３６の表面からの文字をきれいに光らすことができ、視認性を向上することができる。
【００４４】
また、規制部材２９は、表示素子２２が位置する複数の穴を有する板材で構成することにより、表示窓４０と制御装置３８に設けた複数の表示素子２２との位置ずれが少なくなり、パネルシート２１の表面の文字をきれいに光らすことができ、視認性を向上することができる。さらに、板材を用いるので安価に形成でき、しかも加工も容易である。
【００４５】
なお、上記各実施例では、洗濯機について説明したが、衣類乾燥機、食器洗い機などについても、同様に構成することができる。
【産業上の利用可能性】
【００４６】
以上のように、本発明に係る操作表示装置は、パネルシートの表面がでこぼこに見えたりすることがなく視認性に優れ、また、パネルシートと操作表示パネルとの隙間部も外観から見えなくし、その部分に水やごみも溜ることがなくまた、パネルシートがはがれたりする心配もないもので、操作部、表示部を有する各種機器に適用できる。
【図面の簡単な説明】
【００４７】
【図１】本発明の第１の実施の形態における操作表示装置を搭載した洗濯機の要部上面図
【図２】同操作表示装置の分解図
【図３】（ａ）図１のＡ−Ａ断面図（ｂ）図１のＢ−Ｂ断面図
【図４】従来の操作表示装置を備えた洗濯機の要部上面図
【図５】同操作表示装置の分解斜視図
【図６】同操作表示装置の断面図
【符号の説明】
【００４８】
１８  操作表示パネル
１９  操作ボタン部
２０  表示部
２１  パネルシート
２５  パネルカバー
２６、３１、３２、３３ａ〜３３ｄ、３５  操作部
２７  透明部
２８  台枠
２８ａ  開口部
【図１】
2006072118.tif 000003
【図２】
2006072118.tif 000004
【図３】
2006072118.tif 000005
【図４】
2006072118.tif 000006
【図５】
2006072118.tif 000007
【図６】
2006072118.tif 000008